(57)【要約】    【課題】      カメラやゲームのアプリケーション機能を有する通信端末において、通話機能よりアプリケーション機能を優先する通信端末を提供すること。    【解決手段】  割り込み制御部２１０は、受信データの受信割り込みを検出し、受信データ判別部２４０は、前記受信データが、音声データとパケットデータとのいずれであるかを判別し、着信不可通知部２５０は、前記受信データが音声データと判別された場合に、発信側へ着信ができないことを通知し、パケットデータ着信通知部２６０は、前記受信データがパケットデータと判別された場合に、パケットデータの着信を通知する。  【選択図】      図２
2006180088.tif 000002
【特許請求の範囲】
【請求項１】
受信データの受信割り込みを検出する割り込み制御手段と、
前記受信データが、音声データとパケットデータとのいずれであるかを判別する受信データ判別手段と、
前記受信データが音声データと判別された場合に、発信側へ着信ができないことを通知する着信不可通知手段と、
前記受信データがパケットデータと判別された場合に、パケットデータの着信を通知するパケットデータ着信通知手段と、
を備えることを特徴とする通信端末。
【請求項２】
受信データの処理を優先する受信モードと、通信端末が有するアプリケーション機能を優先する機能モードとのいずれかを選択するモード選択手段を、更に備え、
前記着信不可通知手段は、受信データが音声データであり、前記モード選択手段によって機能モードが設定された場合に、発信側へ着信ができないことを通知することを特徴とする請求項１記載の通信端末。
【請求項３】
通信端末が受信動作を繰り返す受信間隔を設定する受信間隔設定手段と、
前記受信間隔を用いて、受信動作を繰り返す間欠受信動作手段と、
を更に備えることを特徴とする請求項１または請求項２記載の通信端末。
【請求項４】
前記着信不可通知手段は、発信側の通信端末へ着信ができないことを通知し、
前記パケットデータ着信手段は、表示画面にパケットデータの着信を通知することを特徴とする請求項１から請求項３のいずれかに記載の通信端末。
【請求項５】
前記受信間隔設定手段は、複数の受信間隔から一つの受信間隔を選択することをユーザに促し、
前記間欠受信動作手段は、受信動作終了後に、基地局のサーバへ、パケットデータの着信の有無を確認することを特徴とする請求項１から請求項４のいずれかに記載の通信端末。
【請求項６】
受信データの受信割り込みを検出する割り込み制御工程と、
前記受信データが、音声データとパケットデータとのいずれであるかを判別する受信データ判別工程と、
前記受信データが音声データと判別された場合に、発信側へ着信ができないことを通知する着信不可通知工程と、
前記受信データがパケットデータと判別された場合に、パケットデータの着信を通知するパケットデータ着信通知工程と、
を備えることを特徴とする通信端末のアプリケーション機能制御方法。
【請求項７】
受信データの受信割り込みを検出する割り込み制御工程と、
前記受信データが、音声データとパケットデータとのいずれであるかを判別する受信データ判別工程と、
前記受信データが音声データと判別された場合に、発信側へ着信ができないことを通知する着信不可通知工程と、
前記受信データがパケットデータと判別された場合に、パケットデータの着信を通知するパケットデータ着信通知工程と、
を備えることを特徴とする通信端末のアプリケーション機能制御方法を実現するコンピュータで実行可能なプログラム。
【発明の詳細な説明】
【技術分野】
【０００１】
本発明は、カメラやゲームなどのアプリケーション機能を有する通信端末に関し、特に、アプリケーション機能を優先して実行する通信端末に関する。
【背景技術】
【０００２】
一般的に、携帯電話端末で用いる無線通信システムは、携帯電話端末が基地局に対して間欠的に受信動作を繰り返すことによって通信を成立させている。間欠受信動作間隔は、いつ発生するか予測できない相手側端末からの発呼に備えるため、通常１〜２秒程度の非常に短い時間となっている。また、携帯電話端末は、カメラやゲームなどのアプリケーション機能を有するものがある。受信動作やアプリケーション機能は、制御手段によって制御される。
【０００３】
従来、携帯電話端末は、カメラやゲームなどのアプリケーション機能動作中も常に間欠受信動作を行っている。データ着信があったと判定された場合、基地局からの無線データは、アンテナで受信され、復調、チャネルデコード処理された後、音声データかパケットデータかを判別できるデータとなって制御手段に受け渡される。また、携帯電話端末は、データを受信すると、制御手段に対して着信割り込み信号を発生させる。制御手段は、着信割り込み信号を確認すると、アプリケーション機能の一時中断処理を行い、受信したデータについて音声処理を行う。
【特許文献１】特開２００４−１２０３２６
【発明の開示】
【発明が解決しようとする課題】
【０００４】
しかしながら、近年の携帯電話端末は、デジタルカメラやゲームなどの携帯電話端末本来の機能である音声通話以外の機能の進化が著しい。これに伴って、携帯電話端末は、一台のデジタルカメラとして、または一台のゲーム機として使用することが可能となり、このようなニーズが発生してきている。また、携帯電話端末は、コミュニケーション手段として、音声通話よりもメールの送受信を重要視する傾向があり、特に若年層において見受けられる。
【０００５】
さらに、従来の携帯電話端末は、その機器としての成り立ちから音声通話を常に優先する傾向がある。従って、携帯電話端末は、カメラやゲームなどのアプリケーション機能を使用している最中であっても通話が優先され、アプリケーション機能は一時中断されてしまうという問題があった。
【０００６】
また、携帯電話端末は、無線通信のシステムとして間欠的に基地局との受信動作を行うことで常にデータ着信がないかどうかを確認しているが、間欠受信動作がバッテリーの持続時間に与える影響は大きい。その結果、カメラやゲームなどのアプリケーション機能を使用できる時間が少なくなるという課題もある。
【０００７】
本発明は、かかる点に鑑みてなされたものであり、通話機能よりアプリケーション機能を優先させる通信端末及び通信端末のアプリケーション機能制御方法を提供することを目的とする。
【課題を解決するための手段】
【０００８】
本発明の通信端末は、受信データの受信割り込みを検出する割り込み制御手段と、前記受信データが、音声データとパケットデータとのいずれであるかを判別する受信データ判別手段と、前記受信データが音声データと判別された場合に、発信側へ着信ができないことを通知する着信不可通知手段と、前記受信データがパケットデータと判別された場合に、パケットデータの着信を通知するパケットデータ着信通知手段と、を備える構成を採る。
【発明の効果】
【０００９】
本発明によれば、通話機能よりアプリケーション機能を優先的に実行させる通信端末及び通信端末のアプリケーション機能制御方法を提供することができる。
【発明を実施するための最良の形態】
【００１０】
以下、本発明の実施の形態について、図面を参照して詳細に説明する。
【００１１】
（実施の形態１）
図１は、本発明の実施の形態１に係る携帯電話端末の構成の一例を示すブロック図であり、図２は、実施の形態１の制御部の構成の一例を示すブロック図である。本実施の形態では、通信端末の一例として、携帯電話端末を用いて説明する。
【００１２】
携帯電話端末１００は、アンテナ１１０、ＲＦ  ＬＳＩ（Radio Frequency Large Scale Integration）１２０、アナログベースバンドＬＳＩ（ＡＢＢ  ＬＳＩ：Analog Base Band Large Scale Integration）１３０、デジタルベースバンドＬＳＩ（ＤＢＢ  ＬＳＩ：Digital Base Band Large Scale Integration）１４０、マイク１５０、及び、スピーカ１６０を備える。
【００１３】
アンテナ１１０は、受信データを受信し、ＲＦ  ＬＳＩ１２０は、無線データを送受信するためのアンテナモジュールを搭載する。これにより、基地局と携帯電話端末１００間の通信の無線周波数帯を利用したデータのやり取りを実現する。ＡＢＢ  ＬＳＩ１３０は、アナログ形式とデジタル形式のデータ形式を変換する。
【００１４】
デジタルベースバンドＬＳＩ１４０は、受信データを復調、チャネルデコード処理し、それぞれのデータの種別に伴って、データ処理するとともに、携帯電話端末１００が備えるアプリケーション機能を実行する。
【００１５】
マイク１５０は、ユーザの音声を入力し、スピーカ１６０は、音声を出力する。
【００１６】
また、デジタルベースバンドＬＳＩ１４０は、ベースバンド処理部１４１、アプリケーション部１４２、音声処理部１４３、パケットデータ処理部１４４、及び、制御部２００を含む。ベースバンド処理部１４１に含まれる各機能は、ＣＰＵ（Central Processing Unit）の制御のもとで動作する。なお、ＣＰＵについては、図１には明示していない。
【００１７】
ベースバンド処理部１４１は、受信データを復調、チャネルデコード処理し、処理したデータを制御部２００へ通知し、あるいは、受信データの着信を通知する。
【００１８】
アプリケーション部１４２は、携帯電話端末１００が備える、カメラやゲーム等の機能を実行するアプリケーションである。
【００１９】
音声処理部１４３は、音声データをユーザへ通知する処理を行う。
【００２０】
パケットデータ処理部１４４は、パケットデータをユーザに通知する処理を行う。なお、パケットデータは、携帯電話端末１００の取り扱うデータのうち、音声データ以外のデータを指す。パケットデータの一例として、メール、音楽、動画、写真等が想定される。
【００２１】
制御部２００は、図２に示すように、ベースバンド処理部１４１から受け渡されたデータを処理する。制御部２００は、割り込み制御部２１０、モード選択部２２０、モード記憶部２３０、受信データ判別部２４０、着信不可通知部２５０、パケットデータ着信通知部２６０、受信間隔設定部２７０、間欠受信動作部２８０、及び、メールチェック部２９０を含む。
【００２２】
割り込み制御部２１０は、ベースバンド処理部１４１から、受信データの割り込みの発生を受け付け、受信データを受け取る。また、受信モード、及び、受信データの種別とに基づいて、受信データの受け渡しを行う。受信モードは、モード記憶部２３０に記憶された受信モードを読み込むことにより取得する。受信データの種別は、受信データ判別部２４０から取得する。割り込み制御部２１０は、受信モードが機能モードの場合には、着信不可通知部２５０とパケットデータ着信通知部２６０とのいずれかへ処理の実行を指示し、通常モードの場合には、音声データを音声処理部１４３へ、パケットデータをパケットデータ処理部１４４へ受け渡す。
【００２３】
モード選択部２２０は、受信データの処理の優先度を選択する受信モードを選択する。受信モードは、通常の受信状態を維持する通常モードと、アプリケーション機能の実行を優先する機能モードである。モード選択部２２０は、ユーザによって選択された受信モード（通常モードまたは機能モード）を受け付け、モード記憶部２３０へ記憶する。
【００２４】
モード記憶部２３０は、モード選択部２２０によって選択された受信モードを記憶する記憶領域である。
【００２５】
受信データ判別部２４０は、受信データの種別を判別し、判別したデータの種別を割り込み制御部２１０へ通知する。データ種別については、受信データ判別部２４０は、受信データが、音声データと、パケットデータとのいずれであるかの判別を行う。基地局から送られてくるデータには全てヘッダー情報が付加されており、ＲＦ  ＬＳＩ１２０で受信し、ＡＢＢ  ＬＳＩ１３０でデジタル変換した段階では圧縮したデータとなっている。デジタルベースバンドＬＳＩ１４０が圧縮データを復調し、制御部２００に復調したデータを渡す。受信データ判別部２４０は、ヘッダー情報により受信したデータをどのように処理するかを決定する。例えば、音声データを受信した場合は音声コーデック処理が必要となり、パケットデータであれば秘匿解除処理が必要となる。
【００２６】
着信不可通知部２５０は、機能モード中に、音声データを着信した場合に、着信ができないことを、発信側の通信端末へ通知する。
【００２７】
パケットデータ着信通知部２６０は、機能モード中に、パケットデータを着信した場合に、パケットデータの着信があったことをユーザに通知する。具体的には、パケットデータ着信通知部２６０は、ＬＥＤ（Light Emitting Diode）デバイスなどの点滅によりパケットデータの着信を通知する。
【００２８】
受信間隔設定部２７０は、着信処理を実施する時間間隔を設定する。
【００２９】
間欠受信動作部２８０は、受信間隔設定部２７０で設定された受信間隔で、受信データの着信処理を行う。
【００３０】
メールチェック部２９０は、基地局サーバへ新着メールが着信しているかを確認する。
【００３１】
次いで、上記構成を有する携帯電話端末１００の動作について説明する。一般的な受信動作は、次のように実施される。
【００３２】
データ着信があった場合、基地局からの受信データは、アンテナ１１０で受信され、ＲＦ  ＬＳＩ１２０、ＡＢＢ  ＬＳＩ１３０で処理された後、デジタルベースバンドＬＳＩ１４０へと受け渡される。デジタルベースバンドＬＳＩ１４０において、ベースバンド処理部１４１は、受信データを復調、チャネルデコード処理した後、音声データかパケットデータかを判別できるデータとして制御部２００へ受け渡す。また、ベースバンド処理部１４１は、制御部２００に対して着信割り込み信号を発生させる。制御部２００は、ベースバンド処理部１４１から通知された着信割り込み信号を確認すると、受信データの処理を実施する。通常モードでは、受信データを確認すると、制御部２００は、アプリケーション部１４２に対してアプリケーション機能の一時中断処理を行い、音声処理部１４３を起動させ、音声処理部１４３は、音声処理を行う。
【００３３】
次に、図３に示すフローチャートを用いて機能モードの場合の動作を説明する。図３は、本実施の形態の携帯電話端末において、機能モードが選択されている場合の動作の一例を示すフローチャートである。
【００３４】
予め、ユーザによって、受信モードと受信間隔が入力される。このとき、携帯電話端末１００では、次のような動作を実施する。モード選択部２２０は、ユーザによって選択された機能モードをモード記憶部２３０へ記憶する。また、受信間隔設定部２７０は、ユーザから入力された受信間隔を間欠受信動作部２８０へ通知する。このような設定がされた後、携帯電話端末は次の動作を行う。
【００３５】
まず、間欠受信動作部２８０は、受信間隔毎に、基地局に対する受信動作を行う（Ｓ１１）。間欠受信動作が開始されると、アプリケーション機能は、受信動作と並行して実行する。
【００３６】
割り込み制御部２１０へ基地局からの受信データの受信があったと判定された場合（Ｓ１２でＹＥＳ）、割り込み制御部２１０は、受信データ判別部２４０へ受信データを受け渡す。また、割り込み制御部２１０は、間欠受信動作部２８０へ受信データの受信があったことを通知する。
【００３７】
一方、割り込み制御部２１０へ基地局からの受信データがなかった場合（Ｓ１２でＮＯ）、Ｓ１６以降の処理を実施する。間欠受信動作部２８０は、所定の時間割り込み制御部２１０からの通知がなかった場合、受信データがなかったと判断する。
【００３８】
次に、受信データ種別判定のため、受信データ判別部２４０は、受信データが音声データかパケットデータかを判別し、判別したデータの種別を割り込み制御部２１０へ通知する。受信データが音声データの場合（Ｓ１３でＹＥＳ）、割り込み制御部２１０は、着信不可通知部２５０へ音声データの受信があったことを通知する。着信不可通知部２５０は、発信側へ着信できないことを通知する（Ｓ１４）。受信データがパケットデータの場合（Ｓ１３でＮＯ）、受信データ判別部２４０は、パケットデータ着信通知部２６０へパケットデータの着信があったことを通知する。パケットデータ着信通知部２６０は、ＬＥＤデバイスなどの点滅を制御しパケットデータの着信をユーザに通知し、ベースバンド処理部１４１から割り込み制御部２１０への着信割り込みを解除する（Ｓ１５）。
【００３９】
次に、間欠受信動作部２８０は、メールチェック部２９０を起動する。メールチェック部２９０は、基地局サーバへ新着メールが着信しているかを確認する（Ｓ１６）。メールチェック部２９０は、基地局サーバに新着メールの着信を確認すると（Ｓ１７でＹＥＳ）、パケットデータ着信通知部２６０へ新着メールの着信を通知する。パケットデータ着信通知部２６０は、ＬＥＤデバイスなどの点滅を制御しパケットデータの着信をユーザに通知する（Ｓ１８）。
【００４０】
Ｓ１７でＮＯ、または、Ｓ１８の処理終了後、アプリケーション部１４２は、次の間欠受信動作が開始されるまで、アプリケーション機能のみ実行する（Ｓ１９）。
【００４１】
このように、カメラやゲームなどのアプリケーション機能を有する携帯電話において、アプリケーション機能を実行中に、データを着信する機能を最低限維持することができる。具体的には、音声データの着信があった場合にはアプリケーション機能の実行を優先させる。一方、アプリケーション機能を実行中にパケットデータの着信があった場合にはＬＥＤデバイスなどの点滅により前記パケットデータの着信通知のみを行うことができる。従って、アプリケーション機能実行中に受信データの着信があった場合にも、実質的にアプリケーション機能が中断されることがなくなる。さらに、通信動作による電力を削減することにより、アプリケーション機能の使用時間を延長することが可能となる。
【００４２】
また、受信間隔設定部２７０によって、間欠受信動作の間隔を通常モードよりも長く設定することができる。
【００４３】
さらに、基地局との受信動作後には必ずメール着信の問い合わせ処理を基地局サーバに対して行うことにより、基地局サーバへ未受信のパケットデータの放置を防止することができる。本実施の形態では、アプリケーション機能を優先する機能モードにおいては、間欠制御間隔が長くなるため受信動作時に偶然メール着信を拾うということがない限りはあまり間欠受信制御によるメール受信は期待できない。間欠受信間隔を従来よりも長めに設定するのは、間欠受信動作が頻繁に行われることによるバッテリー消費を抑え、アプリケーション機能実行のためのバッテリー時間を確保するためである（音声通話による通信自体も受け付けない）。その結果、通信のリアルタイム性は損なわれるが、間欠受信動作後にメール着信問い合わせ処理を自動的に行うようにさせることでリアルタイム性の必要が無いメールによる通信を確保することを可能にしている。
【００４４】
なお、本実施の形態ではアプリケーション機能と間欠受信動作とは並行して実行する場合を説明したが、間欠受信動作を実行中は、アプリケーション機能を一時的に中断することも可能である。機能モードを設定した場合、間欠受信動作に要する時間はわずかであるため、ユーザにとって、アプリケーション機能の実行に影響するものではない。
【００４５】
また、本実施の形態では、割り込み制御部２１０が着信不可通知部２５０あるいはパケットデータ着信通知部２６０へ受信データの着信を通知する場合を説明したが、割り込み制御部２１０に代わって受信データ判別部２４０が行ってもよい。
【００４６】
また、本実施の形態では、通信端末の一例として携帯電話端末を一例として説明したが、これに限られるわけではない。携帯電話端末以外であっても、通信機能を備えるとともに、アプリケーション機能を備える通信端末であれば、本発明を適用することが可能である。また、上記説明では、無線通信システムを用いる通信端末の場合を説明したが、有線通信システムを用いる通信端末に適用することも可能である。
【００４７】
さらに、本実施の形態では、メールチェック部２９０によって、新着メールをチェックする例を説明したが、新着メールに限らず、基地局サーバに着信しているパケットデータをチェックするようにしてもよい。
【００４８】
（実施の形態２）
実施の形態２では、図２に示す受信間隔設定部２７０が、受信間隔を予め複数保持し、ユーザに複数の受信間隔の時間から選択させる場合について説明する。
【００４９】
受信間隔設定部２７０は、複数の受信間隔を表示画面へ表示する。ユーザによって選択された受信間隔を間欠受信動作部２８０へ通知する。
【００５０】
受信間隔毎にメールチェック部２９０によって基地局サーバに保存されている新着メールのチェックが行われる。このため、メール機能を重視するユーザは、アプリケーション機能を優先した通信端末に変更することが可能となる。また、通信端末は、アプリケーション機能へ使用する電力の割合を高くすることができる。
【００５１】
（実施の形態３）
図２に示した制御部２００の構成は、ハードウェア、ソフトウェア、ハードウェアとソフトウェアの組み合わせで実行することが可能である。また、制御部２００は、計算機で実行される制御プログラムによって実現することが可能である。
【００５２】
制御プログラムは、次の機能を実行する工程（手段、手順）を含む。
【００５３】
まず、機能モードを実現する機能としては、次の工程が必要である。機能モードを実現する機能は、受信データの受信割り込みを検出する割り込み制御工程と、前記受信データが、音声データとパケットデータとのいずれであるかを判別する受信データ判別工程と、前記受信データが音声データと判別された場合に、着信ができないことを通知する着信不可通知工程と、前記受信データがパケットデータと判別された場合に、パケットデータの着信を通知するパケットデータ着信通知工程とを含む。
【００５４】
さらに、機能モードを実現する機能は、受信データの処理を優先する受信モードと、通信端末が有するアプリケーション機能を優先する機能モードとのいずれかを選択するモード選択工程を備え、前記着信不可通知工程は、受信データが音声データであり、前記モード選択工程によって機能モードが設定された場合に、発信側へ着信ができないことを通知する。これにより、機能モードと通常モードとを選択することが可能となり、ユーザの所望する通信端末に容易に変更することが可能となる。
【００５５】
また、通信端末が受信動作を繰り返す受信間隔を設定する受信間隔設定工程と、前記受信間隔を用いて、受信動作を繰り返す間欠受信動作工程とを有する。これにより、受信間隔の設定が可能であるため、ユーザの希望する通信機能を柔軟に選択することが可能となる。例えば、通常モードを選択している場合であっても、受信動作の間隔を長くするという選択も可能となる。
【００５６】
このように、カメラやゲームなどのアプリケーション機能付きの携帯電話において、メール着信通知による必要最低限の通信手段は確保された状態で、アプリケーション機能動作中に基地局からのデータ受信があったとしても実行中のアプリケーション機能が中断されることがなくなる。また、通信動作による電力を削減することでアプリケーション機能の使用時間を延ばすことができる。
【産業上の利用可能性】
【００５７】
本発明にかかる通信端末と通信端末のアプリケーション機能制御方法は、カメラやゲームなどのアプリケーション機能が進化した近年の携帯電話端末おいて、アプリケーション機能重視ユーザのためのニーズに応えるのに有用である。
【図面の簡単な説明】
【００５８】
【図１】本発明の実施の形態１に係る携帯電話端末の構成の一例を示すブロック図
【図２】実施の形態１の制御部の構成の一例を示すブロック図
【図３】実施の形態１の携帯電話端末において、機能モードが選択されている場合の動作の一例を示すフローチャート
【符号の説明】
【００５９】
１００  携帯電話端末
１１０  アンテナ
１２０  ＲＦ  ＬＳＩ
１３０  ＡＢＢ  ＬＳＩ
１４０  デジタルベースバンドＬＳＩ
１４１  ベースバンド処理部
１４２  アプリケーション部
１４３  音声処理部
１４４  パケットデータ処理部
１５０  マイク
１６０  スピーカ
２００  制御部
２１０  割り込み制御部
２２０  モード選択部
２３０  モード記憶部
２４０  受信データ判別部
２５０  着信不可通知部
２６０  パケットデータ着信通知部
２７０  受信間隔設定部
２８０  間欠受信動作部
２９０  メールチェック部
【図１】
2006180088.tif 000003
【図２】
2006180088.tif 000004
【図３】
2006180088.tif 000005